(57)【要約】 【課題】  使用予定地域と異なる地域における使用を抑止することができる電子装置を提供する。【解決手段】  記憶部１９に記憶されている予定地域関連情報と、制御部１１で特定される使用地域情報とが比較され、使用地域情報が予定地域関連情報と異なると判断された場合に、使用者に対して、実際の使用地域が使用予定地域と異なることを表す地域不一致情報を報知する。このように、地域不一致情報を報知することによって、使用者に対して、実際の使用地域が使用予定地域と異なることを促すことができ、使用予定地域と異なる地域における電子装置１の使用を抑止することができる。【選択図】      図１
2005252889.tif 000002
【特許請求の範囲】
【請求項１】
予め定める使用予定地域に関連する使用地域を表すエリアコードを予定地域関連情報として記憶する記憶手段と、
エリアコードを入力するための入力手段と、
入力手段によって入力されるエリアコードを取得して、実際の使用地域を特定する使用地域特定手段と、
情報を報知する報知手段と、
記憶手段に記憶されている予定地域関連情報が表す使用予定地域と、使用地域特定手段によって特定される実際の使用地域とを比較し、実際の使用地域が使用予定地域と異なる場合、実際の使用地域が使用予定地域と異なることを表す地域不一致情報を報知するように、報知手段を制御する制御手段とを含むことを特徴とする電子装置。
【請求項２】
エリアコードは、初期設定において使用者情報の１つとして入力されることを特徴とする請求項１記載の電子装置。
【請求項３】
公衆回線網を介して他の通信端末装置と通信する装置であって、
エリアコードは、国際公衆電気通信番号であることを特徴とする請求項１または２記載の電子装置。
【請求項４】
報知手段は、予め定める通信に関する動作を制限する通信制限手段を含み、通信制限手段によって通信に関する動作を制限することによって地域不一致情報を報知することを特徴とする請求項３記載の電子装置。
【請求項５】
報知手段は、情報を表示する表示手段を含み、地域不一致情報を表示手段に表示することによって報知することを特徴とする請求項１記載の電子装置。
【請求項６】
報知手段は、音声を出力する発音手段を含み、地域不一致情報を発音手段から出力することによって報知することを特徴とする請求項１記載の電子装置。
【請求項７】
報知手段は、記録紙に情報を記録する記録手段をさらに含み、記録手段によって記録紙に地域不一致情報を記録することによって報知することを特徴とする請求項１記載の電子装置。
【請求項８】
他の通信端末装置に送信すべき対象情報を送信するとき、その対象情報に地域不一致情報を付加して送信することを特徴とする請求項３記載の電子装置。
【請求項９】
画像情報を送信する装置であって、
画像情報は、対象情報および地域不一致情報を表す画像の情報であることを特徴とする請求項８記載の電子装置。
【発明の詳細な説明】
【技術分野】
【０００１】
本発明は、たとえばファクシミリ装置などの電子装置に関する。
【背景技術】
【０００２】
近年、ファクシミリ装置の普及に伴い、世界各地でファクシミリ装置が使用されるようになってきており、複数の地域で使用できるように、各地域の通信規格および使用言語に適合するようなファクシミリ装置の開発が進められている。複数の地域の通信規格および使用言語に適合するようなファクシミリ装置に関する従来の技術が、特許文献１〜５に記載されている。
【０００３】
特許文献１に記載のファクシミリ装置は、位置特定ナビゲーションシステムを備えており、使用する際に前記位置特定ナビゲーションシステムによって使用する国を判断して、自動的にその国に適合した言語および回線制御装置を選択し、操作パネル、回線制御装置、システムＲＯＭ（Read Only Memory）および音声メッセージ用メモリを切換えて起動するように構成される。
【０００４】
特許文献２に記載のファクシミリ装置は、電源投入時に入力される国を示すデータ、あるいは電源投入時に国の指定がなければ国設定エリアに記憶されているデータに基づいて、電話通信規格に適合するようにＮＣＵ（Network Control Unit）基板の代替部分回路を切換え、通信制御用のパラメータを設定してファクシミリの通信制御を行うように構成される。
【０００５】
特許文献３に記載のファクシミリ装置は、出荷対象となる複数の国ごとの設定情報をデータ格納部の国別設定情報格納部に予め格納しておき、主制御部において、ファクシミリ装置が接続された通信網の信号特性に基づいて使用国を判定して、その使用国に対応する設定情報をデータ格納部から読み出して設定登録処理を行うように構成される。
【０００６】
特許文献４に記載のファクシミリ装置では、回線制御ボードがファクシミリ装置本体に対して容易に着脱可能に構成される。したがって、ファクシミリ装置本体とを共通とし、ＮＣＵ（Network Control Unit）をそれぞれの輸出相手の国および地域に応じて変更し、このＮＣＵを実装した回線制御ボードをファクシミリ装置本体に挿入してメインボードに結合させることによって、種々の国および地域における通信規格に対応したファクシミリ装置を容易に製造することができ、生産性の向上およびリードタイムの短縮を図ることができる。
【０００７】
特許文献５に記載のファクシミリ装置は、購入場所および通常使用する場所と異なるトーン信号を使用する場所では、利用する前に調整モードを選択することによって、予め格納して参照確認するトーン信号の内容を、現地のトーン信号を認識可能に自動的に書き換えて調整することができる。たとえば、現地のトーン信号の周波数に書き換えてダイヤルトーンを認識可能にすることによって、またトーン信号のオン／オフ時間に書き換えてビジートーンを認識可能にすることによって、国および地域を限定することなく容易にファクシミリ通信を実行することができるように構成される。
【０００８】
【特許文献１】特開平６−４６１７９号公報
【特許文献２】特開平１０−７５３２２号公報
【特許文献３】特開２００３−８７５４０号公報
【特許文献４】特開平１１−１７８５４号公報
【特許文献５】特開平１１−１５５０５４号公報
【発明の開示】
【発明が解決しようとする課題】
【０００９】
前述の特許文献１〜５に記載のファクシミリ装置は、複数の使用予定地域に関する情報、たとえば使用予定地域と、その使用予定地域における通信規格および使用言語とを関連付けた情報が記憶部に記憶されており、この記憶部に記憶されている情報に基づいて、使用予定地域の通信規格および使用言語に適合させて、複数の使用予定地域のいずれでも使用できるように構成されているけれども、特許文献１〜５に記載のファクシミリ装置が使用予定地域と異なる地域に流出した場合には、その流出した地域の通信規格および言語などに適合させることができない場合がある。したがって、使用予定地域と異なる地域でファクシミリ装置を使用した場合、通信規格および言語などが適合しないことに起因してファクシミリ装置の動作に不具合が生じる場合があるという問題がある。
【００１０】
特許文献１〜５に記載の従来の技術には、前述の問題を解決するために、使用予定地域と異なる地域に流出したファクシミリ装置の使用を抑止する技術については、述べられていない。したがって、特許文献１〜５に記載の従来の技術では、前述の問題を解決することができない。
【００１１】
本発明の目的は、使用予定地域と異なる地域における使用を抑止することができる電子装置を提供することである。
【課題を解決するための手段】
【００１２】
本発明は、予め定める使用予定地域に関連する使用地域を表すエリアコードを予定地域関連情報として記憶する記憶手段と、
エリアコードを入力するための入力手段と、
入力手段によって入力されるエリアコードを取得して、実際の使用地域を特定する使用地域特定手段と、
情報を報知する報知手段と、
記憶手段に記憶されている予定地域関連情報が表す使用予定地域と、使用地域特定手段によって特定される実際の使用地域とを比較し、実際の使用地域が使用予定地域と異なる場合、実際の使用地域が使用予定地域と異なることを表す地域不一致情報を報知するように、報知手段を制御する制御手段とを含むことを特徴とする電子装置である。
【００１３】
また本発明は、エリアコードは、初期設定において使用者情報の１つとして入力されることを特徴とする。
【００１４】
また本発明は、公衆回線網を介して他の通信端末装置と通信する装置であって、
エリアコードは、国際公衆電気通信番号であることを特徴とする。
【００１５】
また本発明は、報知手段は、予め定める通信に関する動作を制限する通信制限手段を含み、通信制限手段によって通信に関する動作を制限することによって地域不一致情報を報知することを特徴とする。
【００１６】
また本発明は、報知手段は、情報を表示する表示手段を含み、地域不一致情報を表示手段に表示することによって報知することを特徴とする。
【００１７】
また本発明は、報知手段は、音声を出力する発音手段を含み、地域不一致情報を発音手段から出力することによって報知することを特徴とする。
【００１８】
また本発明は、報知手段は、記録紙に情報を記録する記録手段をさらに含み、記録手段によって記録紙に地域不一致情報を記録することによって報知することを特徴とする。
【００１９】
また本発明は、他の通信端末装置に送信すべき対象情報を送信するとき、その対象情報に地域不一致情報を付加して送信することを特徴とする。
【００２０】
また本発明は、画像情報を送信する装置であって、
画像情報は、対象情報および地域不一致情報を表す画像の情報であることを特徴とする。
【発明の効果】
【００２１】
本発明によれば、記憶手段には、予め定める使用予定地域に関連する使用地域を表すエリアコードが予定地域関連情報として記憶される。入力手段には、エリアコードが入力される。使用地域特定手段は、入力手段によって入力されるエリアコードを取得し、この取得したエリアコードに基づいて実際の使用地域を特定する。制御手段は、記憶手段に記憶されている予定地域関連情報が表す使用予定地域と、使用地域特定手段によって特定される実際の使用地域とを比較し、実際の使用地域が使用予定地域と異なる場合、実際の使用地域が使用予定地域と異なることを表す地域不一致情報を報知するように、報知手段を制御する。
【００２２】
前述のように、制御手段によって、記憶手段に記憶されている予定地域関連情報が表す使用予定地域と、使用地域特定手段によって特定される実際の使用地域とが比較され、実際の使用地域が使用予定地域と異なると判断された場合に、使用者に対して、実際の使用地域が使用予定地域と異なることを表す地域不一致情報が報知手段によって報知される。このように、報知手段によって地域不一致情報を報知することによって、使用者に対して、実際の使用地域が使用予定地域と異なることを促すことができ、使用予定地域と異なる地域における電子装置の使用を抑止することができる。
【００２３】
また本発明によれば、エリアコードは、初期設定において使用者情報の１つとして入力される。このように、初期設定において、エリアコードが使用者情報の１つとして入力手段に入力されるので、制御手段によって、記憶手段に記憶されている予定地域関連情報が表す使用予定地域と、使用地域特定手段によって特定される実際の使用地域とが比較され、実際の使用地域が使用予定地域と異なると判断された場合、使用者によって電子装置が使用される前に、実際の使用地域が使用予定地域と異なることを表す地域不一致情報が報知手段によって報知される。このように、使用者によって電子装置が使用される前に、報知手段によって地域不一致情報を報知することによって、使用者に対して、実際の使用地域が使用予定地域と異なることを促すことができ、使用予定地域と異なる地域における電子装置の使用を抑止することができる。さらに、使用者によって電子装置が使用される前に、使用予定地域と異なる地域における電子装置の使用を抑止することができるので、使用予定地域と異なる地域において使用することに起因して電子装置に不具合が生じることを未然に防止することができる。
【００２４】
また本発明によれば、電子装置は、公衆回線網を介して通信する装置である。公衆回線網を介して通信するとき、入力手段によって入力されるエリアコードは、国際公衆電気通信番号である。国際公衆電気通信番号は、地域ごとに予め定められ、通信に利用する番号であるので、使用者によって正確なエリアコードが入力される確率を高くすることができる。これによって、誤ったエリアコードが入力されて、使用予定地域であるにも拘らず報知手段によって地域不一致情報が報知されること、および実際の使用地域が使用予定地域と異なるにも拘らず報知手段によって地域不一致情報が報知されないことなどの不具合が生じる確率を低くすることができる。換言すれば、実際の使用地域が使用予定地域と異なる場合に、報知手段によって正確に地域不一致情報が報知される確率を高くすることができる。
【００２５】
また本発明によれば、報知手段は、予め定める通信に関する動作を制限する通信制限手段を含む。報知手段は、予め定める通信に関する動作を制限することによって地域不一致情報を報知する。ここで、予め定める通信に関する動作を制限するとは、たとえば画像情報および音声情報を送受信する動作を禁止することである。このように、通信制限手段によって通信に関する動作を制限して、実際の使用地域が使用予定地域と異なることを表す地域不一致情報を報知することによって、使用者に対して、実際の使用地域が使用予定地域と異なることを促すことができ、使用予定地域と異なる地域における電子装置の使用を確実に抑止することができる。
【００２６】
また本発明によれば、報知手段は、情報を表示する表示手段を含む。報知手段は、地域不一致情報を表示手段に表示することによって報知する。このように、実際の使用地域が使用予定地域と異なることを表す地域不一致情報を表示手段に表示して報知することによって、使用者に対して、実際の使用地域が使用予定地域と異なることを促すことができ、使用予定地域と異なる地域における電子装置の使用を抑止することができる。
【００２７】
また本発明によれば、報知手段は、音声を出力する発音手段を含む。報知手段は、地域不一致情報を発音手段から出力することによって報知する。このように、実際の使用地域が使用予定地域と異なることを表す地域不一致情報を発音手段から出力して報知することによって、使用者に対して、実際の使用地域が使用予定地域と異なることを促すことができ、使用予定地域と異なる地域における電子装置の使用を抑止することができる。
【００２８】
また本発明によれば、報知手段は、記録紙に情報を記録する記録手段を含む。報知手段は、記録手段によって記録紙に地域不一致情報を記録することによって報知する。たとえば、受信した画像データを画像として記録紙に記録するときに、画像とともに、実際の使用地域が使用予定地域と異なることを表す地域不一致情報を記録紙に記録したり、電子装置に供給されている記録紙に地域不一致情報のみを記録したりすることによって報知する。このように、実際の使用地域が使用予定地域と異なることを表す地域不一致情報を記録紙に記録して報知することによって、使用者に対して、実際の使用地域が使用予定地域と異なることを促すことができ、使用予定地域と異なる地域における電子装置の使用を抑止することができる。
【００２９】
また本発明によれば、他の通信端末装置に送信すべき対象情報を送信するとき、その対象情報に地域不一致情報を付加して送信する。このように、他の通信端末装置に送信すべき対象情報を送信するとき、対象情報に地域不一致情報が付加されて送信される。したがって、電子装置の使用者だけでなく、他の通信端末装置の使用者にも、実際の使用地域が使用予定地域と異なることを表す地域不一致情報が報知される。これによって、使用予定地域と異なる地域で使用するなどの不適切な電子装置の使用の抑止をさらに高めることができる。
【００３０】
また本発明によれば、電子装置は、対象情報および地域不一致情報を表す画像情報を送信する装置である。他の通信端末装置に送信すべき対象情報を送信するとき、その対象情報および地域不一致情報を表す画像情報を送信する。このように、他の通信端末装置に送信すべき対象情報を送信するとき、対象情報および地域不一致情報を表す画像情報が送信される。したがって、電子装置の使用者だけでなく、他の通信端末装置の使用者にも、実際の使用地域が使用予定地域と異なることを表す地域不一致情報が報知される。これによって、使用予定地域と異なる地域で使用するなどの不適切な電子装置の使用の抑止をさらに高めることができる。
【発明を実施するための最良の形態】
【００３１】
図１は、本発明の実施の一形態である電子装置１の構成を示すブロック図である。電子装置１は、たとえば公衆電話回線網１２を介して、不特定多数の他の通信端末装置との間で、予め定める複数の通信プロトコルにそれぞれ基づいて、画像データなどの送受対象のデータを送受信するファクシミリ装置である。電子装置１は、実際の使用地域が使用予定地域と異なると判断した場合に、使用者に対して、実際の使用地域が予め定める使用予定地域と異なることを表す地域不一致情報を報知する装置である。
【００３２】
電子装置１は、制御部１１、網制御部１３、送受話部１４、印刷部１５、読取部１６、キー入力部１７、表示部１８、記憶部１９、モデム部２０、圧縮伸長処理部２１、画像処理部２２およびシート体検出部２３を含んで構成される。電子装置１は、後述する網制御部１３を介して公衆電話回線網１２と接続されている。
【００３３】
制御部１１は、中央演算処理装置（Central Processing Unit；略称：ＣＰＵ）を含み、その内部に記憶される制御プログラムに基づいて、上記の網制御部１３、送受話部１４、印刷部１５、読取部１６、キー入力部１７、表示部１８、記憶部１９、モデム部２０、圧縮伸長処理部２１、画像処理部２２およびシート体検出部２３を制御する。制御部１１は、キー入力部１７によって入力される所定の情報に応答して電子装置１を構成する各部位に制御信号を与えて、その動作を制御する。前記制御プログラムには、公衆電話回線網１２を介して不特定多数の他の通信端末装置との間で、画像データの送受信を行うためのプログラムが含まれ、制御部１１は、後述する網制御部１３を介して、画像データの送受信を行うことができる。
【００３４】
網制御部１３は、公衆電話回線網１２に接続され、公衆電話回線網１２内の交換機との間で、いわゆる網制御のための所定の網制御信号を送受し、この網制御信号に基づいて、公衆電話回線網１２への接続および接続の解除を制御し、送受対象データの送受信の開始および終了を制御する。また、網制御部１３は、公衆電話回線網１２を送受話部１４とモデム部２０とに切換える。
【００３５】
送受話部１４は、マイクロフォンおよびスピーカを含む。送受話部１４は、通話時に送話音声をマイクロフォンで受けてデータ化するとともに、受信した音声データを音響化させてスピーカから受話音声として出力する。また、実際の使用地域が予め定める使用予定地域と異なることを表す地域不一致情報を音響化させてスピーカから出力する。
【００３６】
印刷部１５は、公衆電話回線網１２を介して他の通信端末装置から通信によって受信した画像データおよび後述する読取部１６によって読取られて生成された画像データを画像として記録紙に印刷する。印刷するときには、たとえば熱転写記録方式、インクジェット記録方式および電子写真記録方式が用いられる。
【００３７】
読取部１６は、画像を読取るための手段であり、たとえば送信する画像を読取り、画像データを生成する。たとえば、送信する画像が印字された原稿を保持する給紙部からの原稿を予め定める方向に移動させながら、原稿に印字された画像を読取る。画像を読取るときには、たとえばレンズと電荷結合素子（Charge Coupled Device；略称：ＣＣＤ）ラインセンサとの組合せによる縮小読取方式、および棒状のレンズを多数並列的に配置したロッドレンズアレイを用いた密着センサ方式が用いられる。
【００３８】
キー入力部１７は、電子装置１への指示を表す所定の情報を入力するための複数の入力キーを有している。使用者は、複数の入力キーを操作することによって、制御部１１に対して、各入力キーに対応した指示情報を与える。本実施の形態におけるキー入力部１７の複数の入力キーは、少なくとも画像読取りキー、数字キー、送信キーおよび印刷キーを含む。
【００３９】
画像読取りキーは、送信する画像の読取りを開始するとき、または送信する画像の読取りを終了するときに操作される。画像読取キーを操作することによって、送信する画像の読取りを開始することを表す指示情報または送信する画像の読取りを終了することを表す指示情報が制御部１１に与えられる。
【００４０】
数字キーは、たとえば使用者が初期設定において、実際の使用地域を表すエリアコード、使用者自身および送信先のファクシミリ番号を入力するとき、ならびに通信相手のファクシミリ番号を入力するときに操作される。数字キーを操作することによって、たとえばエリアコードおよびファクシミリ番号が入力されたことを表す指示情報が制御部１１に与えられる。
【００４１】
送信キーは、読取部１６によって読取られ、かつ生成される画像データを所定の通信先に送信するときに操作される。送信キーを操作することによって、読取部１６によって読取られ、かつ生成される画像データを所定の通信先に送信することを表す指示情報が制御部１１に与えられる。
【００４２】
印刷キーは、たとえば公衆電話回線網１２を介して受信した画像データおよび読取部１６によって読取られて生成された画像データを、画像として記録紙に印刷するときに操作される。印刷キーを操作することによって、たとえば受信した画像データおよび読取部１６によって読取られて生成された画像データを画像として記録紙に印刷することを表す指示情報が制御部１１に与えられる。
【００４３】
表示部１８は、公衆電話回線網１２を介して送信する画像データ、公衆電話回線網１２を介して受信した画像データ、操作メニューおよび地域不一致情報を表示する。本実施の形態の表示部１８は、たとえばカラー表示可能な液晶ディスプレイによって実現される。表示部１８は、液晶ディスプレイに限らず、本発明の他の実施の形態では、カラー表示可能なエレクトロルミネッセンス（Electro Luminescence；略称：ＥＬ）ディスプレイによって実現されてもよい。
【００４４】
記憶部１９は、ＲＯＭ（Read Only Memory）およびＲＡＭ（Random Access Memory）を含む。ＲＯＭには、使用予定地域に関連する予定地域関連情報が記憶される。たとえば、ＲＯＭには、使用予定地域の国際公衆電気通信番号（以下、単に「国番号」と表記する場合がある）と、その国番号に対応する使用予定地域に関連する予定地域関連情報とが関連付けられた第１予定地域テーブル、使用予定地域における国番号の桁数、使用予定地域におけるファクシミリ番号の桁数、後述するシート体検出部２３および記憶位置検出部２４から出力されるシート体の寸法に関するシート体寸法情報と、使用予定地域に関連する予定地域関連情報とが関連付けられた第２予定地域テーブル、ならびに国番号と、後述するシート体検出部２３および記憶位置検出部２４から出力される検出信号が表す情報とが関連付けられたシート体テーブルが記憶される。シート体検出部２３および記憶位置検出部２４から出力される検出信号が表す情報は、たとえばシート体の寸法に関するシート体寸法情報である。
【００４５】
ＲＡＭには、たとえばキー入力部１７によって入力されたエリアコードおよびファクシミリ番号、読取部１６によって読取られて生成された画像データ、ならびに公衆電話回線網１２を介して受信した画像データが記憶される。ここで、国番号は、国際電気通信連合電気通信標準化部門（略称：ＩＴＵ−Ｔ）勧告のＥ．１６４によって規定されている。
【００４６】
モデム部２０は、情報および制御指令を含む送受信データを変調および復調する。モデム部２０は、たとえば送信する画像データのデジタル信号を公衆電話回線網１２に適したアナログ信号に変調するとともに、公衆電話回線網１２を介して受信されるアナログ信号を印刷用のデジタル信号に復調する。
【００４７】
圧縮伸長処理部２１は、読取部１６によって読取られ、かつ後述する画像処理部２２によって画像処理が施される画像データに対して、たとえばＩＴＵ−Ｔ勧告によるＪＰＥＧ（Joint Photographic Coding Experts Group）圧縮方式に基づく圧縮処理を施す。また、圧縮伸長処理部２１は、圧縮された画像データを元の画素列情報から成る画像データに戻すために、圧縮された画像データに対して伸長処理を施す。
【００４８】
画像処理部２２は、読取部１６によって読取られて生成された画像データに対して、二値化処理ならびに拡大および縮小処理などの画像処理を施す。二値化処理は、たとえば２５６階調の濃淡の中間階調を有する多値画像データの各画素を、予め定められる閾値に基づいて二値画像データに変換する画像処理である。すなわち、二値化処理は、多値画像データの各画素について、閾値以上の階調を有する画素は白の画素に、閾値未満の階調を有する画素は黒の画素にそれぞれ分けることによって、白および黒の２階調のみから成る二値画像データに変換する画像処理である。また、画像の拡大および縮小処理は、読取部１６によって読取られて生成された画像データが表す画像の大きさを予め定められる倍率に従って拡大および縮小する画像処理である。
【００４９】
シート体検出部２３は、フォトセンサを含む。シート体検出部２３は、後述する給紙部に保持されるシート体３１による光路の変化によってシート体３１の寸法を検出する。シート体検出部２３によって検出された検出結果を表す検出信号は、制御部１１に与えられる。制御部１１は、シート体検出部２３から与えられる検出信号に基づいて、送受話部１４、印刷部１５、読取部１６および表示部１８のいずれかを制御する。シート体３１は、記録紙でもよいし、ＯＨＰ（Over Head Projector）に用いられる透明なフィルムでもよい。
【００５０】
本発明において、記憶手段は、記憶部１９によって構成される。入力手段は、制御部１１およびキー入力部１７によって構成される。使用地域特定手段は、制御部１１、記憶部１９およびシート体検出部２３によって構成される。報知手段は、制御部１１、送受話部１４および表示部１８によって構成される。制御手段は、制御部１１によって構成される。記録手段は、制御部１１および印刷部１５によって構成される。光検出手段は、制御部１１およびシート体検出部２３によって構成される。到達検出手段は、制御部１１および後述する記録位置検出部２４によって構成される。通信制限手段は、制御部１１および記憶部１９によって構成される。表示手段は、制御部１１、表示部１８および記憶部１９によって構成される。発音手段は、制御部１１、送受話部１４および記憶部１９によって構成される。
【００５１】
図２は、地域不一致情報の報知に関する制御部１１の処理手順を示すフローチャートである。地域不一致情報の報知に関する制御部１１の処理手順は、初期設定において使用地域を表すエリアコード、本実施の形態では国番号が入力可能な待機状態であるときに開始される。
【００５２】
ステップａ１では、制御部１１は、エリアコードが入力されたか否かを判断する。ステップａ１において、制御部１１が、エリアコードが入力されたと判断したときは、ステップａ２に進み、エリアコードが入力されていないと判断したときは、エリアコードが入力されるまで待機する。
【００５３】
エリアコードが入力されたか否かの判断は、たとえば使用者によって入力される国番号の桁数が、予め記憶部１９に記憶される国番号の桁数と合致するか否かに基づいて行う。つまり、使用者によって入力される国番号の桁数が、予め記憶部１９に記憶される国番号の桁数と合致すれば、制御部１１は、エリアコードが入力されたと判断する。また、使用者によって入力される国番号の桁数が、予め記憶部１９に記憶される国番号の桁数と合致しなければ、制御部１１は、エリアコードが入力されていないと判断する。
【００５４】
ステップａ２では、制御部１１は、ステップａ１で入力されたエリアコードを記憶部１９に記憶する。ステップａ３では、制御部１１は、ステップａ２で記憶部１９に記憶された前記使用者によって入力されたエリアコードを取得し、この取得したエリアコードに基づいて、実際の使用地域に関連する使用地域情報を特定する。
【００５５】
ステップａ４では、制御部１１は、ファクシミリ番号情報が入力されたか否かを判断する。ステップａ４において、制御部１１が、ファクシミリ番号情報が入力されたと判断したときは、ステップａ５に進み、ファクシミリ番号情報が入力されていないと判断したときは、ファクシミリ番号情報が入力されるまで待機する。ここで、ファクシミリ番号情報は、使用者の電子装置１に付与された実際の使用地域におけるファクシミリ番号である。
【００５６】
ファクシミリ番号情報が入力されたか否かの判断は、たとえば使用者によって入力されるファクシミリ番号の桁数が、予め記憶部１９に記憶されるファクシミリ番号の桁数と合致するか否かに基づいて行う。つまり、使用者によって入力されるファクシミリ番号の桁数が、予め記憶部１９に記憶されるファクシミリ番号の桁数と合致すれば、制御部１１は、ファクシミリ番号情報が入力されたと判断する。また、使用者によって入力されるファクシミリ番号の桁数が、予め記憶部１９に記憶されるファクシミリ番号の桁数と合致しなければ、制御部１１は、ファクシミリ番号情報が入力されていないと判断する。
【００５７】
ステップａ５では、制御部１１は、ステップａ４で入力されたファクシミリ番号情報を記憶部１９に記憶する。ステップａ６では、制御部１１は、予め記憶部１９に記憶される第１予定地域テーブルに基づいて、エリアコードとして記憶される国番号に関連付けられている予定地域関連情報と、ステップａ３で特定される使用地域情報とを比較し、前記予定地域関連情報と使用地域情報とが合致するか否かを判断する。ステップａ６において、制御部１１が、予定地域関連情報と使用地域情報とが合致しないと判断したときは、ステップａ７に進み、予定地域関連情報と使用地域情報とが合致すると判断したときは、ステップａ８に進む。
【００５８】
ステップａ７では、制御部１１は、実際の使用地域が予め定める使用予定地域と異なると判断して、実際の使用地域が予め定める使用予定地域と異なることを表す地域不一致情報を報知して、すべての処理手順を終了する。本実施の形態において、地域不一致情報の報知は、たとえば次のようにして行う。すなわち、予め定める通信に関する動作を制限、本実施の形態では、不特定多数の電子装置１との間で、予め定める通信プロトコルに基づいて画像情報および音声情報を送受信する動作を禁止することによって、使用者に対して、地域不一致情報を報知する。
【００５９】
前述のように本実施の形態では、予め定める通信に関する動作を制限することによって地域不一致情報を報知するようにしているが、地域不一致情報の報知は、これに限らず、本発明の他の実施の形態では、地域不一致情報を表示部１８に表示することによって報知するようにしてもよい。具体的には、「使用されている地域が使用予定地域と異なります。」といった、使用者に対して電子装置１の使用の抑止を促す内容のメッセージを表示部１８に表示することによって、使用者に対して地域不一致情報を報知してもよい。また、発光ダイオード（Light Emitting Diode；略称：ＬＥＤ）などの発光素子によって実現される報知ランプ部（図示しない）を設け、この報知ランプ部を点灯することによって、使用者に対して地域不一致情報を報知するようにしてもよい。
【００６０】
また、本発明の他の実施の形態では、地域不一致情報を表す予め定める音声情報を、送受話部１４のスピーカから出力することによって報知するようにしてもよい。予め定める音声情報は、「使用されている地域が使用予定地域と異なります。」といった、使用者に対して電子装置１の使用の抑止を促す内容の音声によるメッセージでもよいし、地域不一致情報を報知するために音声情報として予め定められる楽曲でもよい。
【００６１】
さらに、本発明の他の実施の形態では、印刷部１５によって記録紙に印刷する動作は禁止せずに、印刷部１５によって記録紙に地域不一致情報を印刷することによって、使用者に対して地域不一致情報を報知するようにしてもよい。具体的には、たとえば「使用予定地域は米国です。」および「使用されている地域が使用予定地域と異なります。」といった、使用者に対して電子装置１の使用の抑止を促す内容のメッセージのみを、電子装置１に供給されている記録紙に印刷するようにしてもよい。また、公衆電話回線網１２を介して他の通信端末装置から受信した画像データを画像として記録紙に印刷するとき、前記画像とともに、前記使用者に対して電子装置１の使用の抑止を促す内容のメッセージを、記録紙のヘッダ（header）領域およびフッタ（footer）領域に印刷してもよいし、前記画像と前記内容のメッセージとを合成した画像を記録紙に印刷してもよい。
【００６２】
ステップａ８では、制御部１１は、予め定める通信動作が可能な状態に設定して、すべての処理手順を終了する。予め定める通信動作とは、たとえば公衆電話回線網１２を介して送信する所定の画像データを読取部１６によって読取る読取動作、読取部１６によって読取られた画像データをファイル化した画像データファイルを所定の送信先に送信する送信動作、公衆電話回線網１２を介して送信されてきた画像データを受信する受信動作、および受信した画像データを画像として記録紙に印刷する印刷動作を含む。
【００６３】
図３は、画像データファイルの送信処理に関する制御部１１の処理手順を示すフローチャートである。画像データファイルの送信処理に関する制御部１１の処理手順は、読取部１６によって読取られた画像データをファイル化した画像データファイルを所定の送信先に送信する送信動作が可能な状態で、かつ所定の送信先のファクシミリ番号が入力されたときに開始される。
【００６４】
ステップｂ１では、制御部１１は、送信キーが押下されたか否かを判断する。ステップｂ１において、制御部１１が、送信キーが押下されたと判断したときは、ステップｂ２に進み、送信キーが押下されていないと判断したときは、送信キーが押下されるまで待機する。
【００６５】
ステップｂ２では、制御部１１は、予め記憶部１９に記憶されたファクシミリ番号情報、本実施の形態では、使用者の電子装置１に付与された実際の使用地域におけるファクシミリ番号を、送信する画像データファイルのヘッダ（header）領域に付加する。
【００６６】
ステップｂ３では、制御部１１は、ステップｂ２において、ヘッダ領域にファクシミリ番号情報が付加された画像データファイルを、公衆電話回線網１２を介して所定の送信先に送信する。
【００６７】
前述のように本実施の形態によれば、電子装置１は、他の通信端末装置に送信すべき対象情報、本実施の形態では読取部１６によって読取られた画像データをファイル化した画像データファイルを送信するとき、その画像データファイルにファクシミリ番号を付加して送信する。このように、他の通信端末装置に送信すべき画像データファイルを送信するとき、画像データファイルにファクシミリ番号が付加されて送信される。したがって、他の通信端末装置の使用者に、送信されるファクシミリ番号に基づいて使用予定地域と異なる地域で使用していることが報知されるので、使用予定地域と異なる地域で使用するなどの不適切な電子装置１の使用の抑止をさらに高めることができる。
【００６８】
本実施の形態では、画像データファイルにファクシミリ番号を付加して送信するように構成されているが、本発明の他の実施の形態では、たとえば画像データファイルに地域不一致情報、具体的には、画像データファイルのヘッダ領域に、「米国発」、「フランス発」などの実際の使用地域を表す情報を付加して、他の通信端末装置に送信するようにしてもよい。また、送信すべき画像情報および前述の地域不一致情報が合成された画像情報を、他の通信端末装置に送信するようにしてもよい。本発明の他の実施の形態において、上記のように構成された場合でも、前述の実施の形態と同様に、使用予定地域と異なる地域で使用するなどの不適切な電子装置１の使用の抑止をさらに高めることができる。
【００６９】
本実施の形態によれば、制御部１１によって、記憶部１９に記憶されている予定地域関連情報と、制御部１１で特定される使用地域情報とが比較され、使用地域情報が予定地域関連情報と異なると判断された場合に、使用者に対して、実際の使用地域が使用予定地域と異なることを表す地域不一致情報が報知される。このように、地域不一致情報を報知することによって、使用者に対して、実際の使用地域が使用予定地域と異なることを促すことができ、使用予定地域と異なる地域における電子装置１の使用を抑止することができる。
【００７０】
また本実施の形態によれば、エリアコードは、初期設定において使用者情報の１つとして入力される。このように、初期設定において、エリアコードが使用者情報の１つとしてキー入力部１７によって入力されるので、制御部１１によって、予め記憶部１９に記憶される予定地域関連情報と、制御部１１によって特定される使用地域情報とが比較され、使用地域情報が予定地域関連情報と異なると判断された場合、使用者によって電子装置１が使用される前に、実際の使用地域が使用予定地域と異なることを表す地域不一致情報が使用者に対して報知される。このように、使用者によって電子装置１が使用される前に、地域不一致情報を報知することによって、使用者に対して、実際の使用地域が予め記憶部１９に記憶される使用予定地域と異なることを促すことができ、使用予定地域と異なる地域における電子装置１の使用を抑止することができる。さらに、使用者によって電子装置１が使用される前に、使用予定地域と異なる地域における電子装置１の使用を抑止することができるので、使用予定地域と異なる地域において使用することに起因して電子装置１に不具合が生じることを未然に防止することができる。
【００７１】
また本実施の形態によれば、電子装置１は、公衆電話回線網１２を介して不特定多数の他の通信端末装置との間で、予め定める複数の通信プロトコルにそれぞれ基づいて、送受対象のデータを送受信することが可能なファクシミリ装置である。公衆電話回線網１２を介して前記データの送受信を行うとき、キー入力部１７によって入力されるエリアコードは、国際公衆電気通信番号（以下、単に「国番号」と表記する場合がある）である。国番号は、地域ごとに予め定められ、通信の分野で広く利用される番号であるので、使用者によって正確な国番号が入力される確率を高くすることができる。これによって、誤った国番号が入力されて、使用予定地域であるにも拘らず、実際の使用地域が使用予定地域と異なることを表す地域不一致情報が報知されること、および実際の使用地域が使用予定地域と異なるにも拘らず、地域不一致情報が報知されないことなどの不具合が生じる確率を低くすることができる。換言すれば、実際の使用地域が使用予定地域と異なる場合に、正確に地域不一致情報が報知される確率を高くすることができる。
【００７２】
また本実施の形態によれば、使用者に対して電子装置１の使用の抑止を促す内容のメッセージを表示部１８に表示したり、ＬＥＤなどの発光素子によって実現される報知ランプ部を点灯したりすることによって、使用者に対して地域不一致情報を報知する。また、使用者に対して電子装置１の使用の抑止を促す内容の音声によるメッセージ、および地域不一致情報を報知するために音声情報として予め定められる楽曲を送受話部１４のスピーカから出力することによって、使用者に対して地域不一致情報を報知してもよい。さらに、使用者に対して電子装置１の使用の抑止を促す内容のメッセージを、印刷部１５によって記録紙に印刷することによって、使用者に対して地域不一致情報を報知してもよい。
【００７３】
前述のように、地域不一致情報を表示部１８に表示したり、報知ランプ部を点灯したり、地域不一致情報を表す予め定める音声情報をスピーカから出力したりすることによって、使用者に対して、実際の使用地域が使用予定地域と異なることを促すことができ、使用予定地域と異なる地域における電子装置１の使用を抑止することができる。また、地域不一致情報を記録紙に印刷することによって、使用予定地域と異なる地域における電子装置１の使用の抑止をさらに高めることができる。
【００７４】
また、公衆電話回線網１２を介して他の通信端末装置から受信した画像データを画像として記録紙に印刷するとき、前記画像とともに、使用者に対して電子装置の使用の抑止を促す内容のメッセージを、記録紙のヘッダ（header）領域およびフッタ（footer）領域に印刷するか、または前記画像と前記内容のメッセージとを合成した画像を記録紙に印刷することによって、受信した画像を使用しにくくして、使用予定地域と異なる地域における電子装置１の使用の抑止をさらに高めることができる。
【００７５】
また本実施の形態によれば、予め定める通信に関する動作、本実施の形態では、不特定多数の電子装置１との間で、予め定める通信プロトコルに基づいて画像情報および音声情報を送受信する動作を制限することによって、使用者に対して、地域不一致情報を報知する。このように、制御部１１によって予め定める通信に関する動作を制限して地域不一致情報を報知することによって、使用者に対して、実際の使用地域が予め記憶部１９に記憶される使用予定地域と異なることを促すことができ、使用予定地域と異なる地域における電子装置１の使用を確実に抑止することができる。
【００７６】
図４は、給紙部３２を示す正面図である。図４では、シート体３１とシート体検出部２３との位置関係を模式的に示している。本実施の形態では、シート体３１として記録紙を用いる場合について説明する。以下の説明において、「シート体３１」を「記録紙３１」と表記する場合がある。
【００７７】
電子装置１は、給紙部３２を含む。給紙部３２は、電子装置１の筐体４０の一部と、筐体４０に設けられる保持部材３３とを含む。保持部材３３は、長方形平板状に形成され、記録紙３１を安定して保持する。給紙部３２には、送信する画像が印字された原稿、および受信した画像データを記録するための記録紙３１が、保持部材３３によって保持される。
【００７８】
記録紙３１の搬送方向Ｘに垂直でかつ記録紙３１の厚み方向に垂直となる方向を幅方向Ｙとしたとき、記録紙３１の幅方向Ｙ両側部側には、第１ガイド部材３４および第２ガイド部材３５が設けられる。第１および第２ガイド部材３４，３５は、後述する所定の搬送経路に沿って搬送方向Ｘ下流側の印刷部１５に記録紙３１を安定して案内するとともに、所定の搬送経路に沿って搬送方向Ｘ下流側の読取部１６に送信用原稿を安定して案内する。
【００７９】
第１ガイド部材３４は、記録紙３１の幅方向Ｙ一側部側に固定されて設けられる。第２ガイド部材３５は、記録紙３１の幅方向Ｙ他側部側に、幅方向Ｙに変位可能に設けられる。本実施の形態では、記録紙３１の幅方向Ｙ一方側の端面を第１ガイド部材３４に当接させ、さらに記録紙３１の幅方向Ｙの長さ寸法に応じて、第２ガイド部材３５を幅方向Ｙ一方または他方に変位させて、記録紙３１の幅方向Ｙ他方側の端面が第２ガイド部材３５に当接するようにして、記録紙３１を保持する。本実施の形態では、第１ガイド部材３４は固定されて設けられているが、本発明の他の実施の形態では、第２ガイド部材３５と連動して、記録紙３１の幅方向Ｙに変位可能に設けられてもよい。
【００８０】
図４（１）では、給紙部３２に、日本工業規格（略称：ＪＩＳ）で規定されている寸法がＡ４に相当する記録紙（以下、単に「Ａ４記録紙３１ａ」と表記する場合がある）を保持させた状態を示している。図４（２）では、給紙部３２に、米国の規格で規定されている寸法、いわゆるレター（letter）サイズに相当する記録紙（以下、単に「レター記録紙３１ｂ」と表記する場合がある）を保持させた状態を示している。以下、不特定の記録紙を示す場合、単に「記録紙３１」と表記する場合がある。
【００８１】
Ａ４記録紙３１ａの短手方向の長さ寸法Ｗ１は、２１０ｍｍであり、レター記録紙３１ｂの短手方向の長さ寸法Ｗ２は、２１５．９ｍｍである。また、給紙部３２に保持させる記録紙３１を、Ａ４記録紙３１ａからレター記録紙３１ｂに変える場合、レター記録紙３１ｂを保持するために、第２ガイド部材３５を幅方向Ｙ他方へ変位させ、図４（１）の仮想線で示す第２ガイド部材３５の位置に固定する。このとき、変位させる長さ寸法Ｗ３は、レター記録紙３１ｂの短手方向の長さ寸法Ｗ２と、Ａ４記録紙３１ａの短手方向の長さ寸法Ｗ１との差分の長さ寸法の１／２、つまり２．９５ｍｍである。本実施の形態では、電子装置１の使用予定地域で用いられる記録紙３１を、たとえばレター記録紙３１ｂとし、電子装置１の使用予定地域と異なる地域で用いられる記録紙３１を、たとえばＡ４記録紙３１ａとする。
【００８２】
電子装置１には、給紙部３２によって保持される記録紙３１の搬送経路に臨んで、光路の変化によって記録紙３１の寸法を検出するシート体検出部２３が設けられる。本実施の形態のシート体検出部２３は、フォトセンサを含む。フォトセンサは、たとえば反射型フォトセンサによって実現される。フォトセンサは、発光素子および受光素子を含む。発光素子は、たとえばＬＥＤによって実現される。受光素子は、たとえばフォトダイオードによって実現される。
【００８３】
シート体検出部２３は、記録紙３１の搬送経路における印刷部１５および読取部１６よりも搬送方向上流側に配置される。さらに詳細に述べると、シート体検出部２３は、使用予定地域で用いられる寸法の記録紙３１、本実施の形態ではレター記録紙３１ｂだけを検出可能な位置、つまりレター記録紙３１ｂに臨む位置に配置される。さらに述べると、シート体検出部２３は、使用予定地域と異なる地域で用いられる記録紙３１、本実施の形態ではＡ４記録紙３１ａに臨む位置には配置されない。また、シート体検出部２３の直径寸法Ｗ４は、前記レター記録紙３１ｂの短手方向の長さ寸法Ｗ２と、Ａ４記録紙３１ａの短手方向の長さ寸法Ｗ１との差分の長さ寸法の１／２の長さ寸法Ｗ３よりも小さい寸法に形成される。本実施の形態のシート体検出部２３の直径寸法Ｗ４は、２．５ｍｍである。
【００８４】
前述のように、シート体検出部２３を、使用予定地域で用いられるレター記録紙３１ｂだけを検出可能な位置に配置することによって、シート体検出部２３によって記録紙３１が検出されたときは、使用予定地域で用いられるレター記録紙３１ｂが使われているとみなすことができ、またシート体検出部２３によって記録紙３１が検出されないときは、Ａ４記録紙３１ａなどの使用予定地域で用いられる記録紙以外の記録紙が使われているとみなすことができる。したがって、シート体検出部３１を前述の位置に配置することによって、記録紙３１の寸法を検出するときと同等の検出結果を得ることができる。
【００８５】
図５は、地域不一致情報の報知に関する制御部１１の処理手順を示すフローチャートである。地域不一致情報の報知に関する制御部１１の処理手順は、送信する画像の読取りを開始または終了する処理、および受信した画像データおよび読取部１６によって読取られて生成された画像データを画像として記録紙３１に印刷する処理が可能な待機状態にあるときに開始される。
【００８６】
ステップｃ１では、制御部１１は、キー入力部１７から与えられた、送信する画像の読取りを開始または終了することを表す読取指示情報、ならびに受信した画像データおよび読取部１６によって読取られて生成された画像データを画像として記録紙３１に印刷することを表す印刷指示情報のいずれか１つを取得したか否かを判断する。ステップｃ１において、制御部１１が、キー入力部１７から与えられた前記読取指示情報または印刷指示情報を取得したと判断したときは、ステップｃ２に進み、キー入力部１７から与えられた前記読取指示情報または印刷指示情報を取得していないと判断したときは、前記読取指示情報または印刷指示情報を取得するまで待機する。
【００８７】
ステップｃ２では、制御部１１は、シート体検出部２３から出力される検出結果を表す検出信号を取得する。ステップｃ３では、制御部１１は、ステップｃ２で取得した検出信号がオン信号であるか否かを判断する。ステップｃ３において、制御部１１が、取得した検出信号がオン信号ではない、つまり取得した検出信号がオフ信号であると判断したときは、給紙部３２に保持された記録紙３１がＡ４記録紙３１ａであると判断し、予め記憶部１９に記憶される第２予定地域テーブルに基づいて、給紙部３２に保持された記録紙３１が使用予定地域で用いられる記録紙以外の記録紙であると判断して、ステップｃ４に進む。
【００８８】
ステップｃ３において、制御部１１が、取得した検出信号がオン信号であると判断したときは、給紙部３２に保持された記録紙３１がレター記録紙３１ｂであると判断し、予め記憶部１９に記憶される第２予定地域テーブルに基づいて、給紙部３２に保持された記録紙３１が使用予定地域で用いられる記録紙であると判断して、ステップｃ５に進む。
【００８９】
ここで、ステップｃ３におけるオン信号は、シート体検出部２３の発光素子から出射された光が反射されてシート体検出部２３の受光素子で受光した光の受光光量が、予め定める受光光量以上であるときに、シート体検出部２３から検出信号として出力され、制御部１１に与えられる。制御部１１は、このオン信号に基づいて、給紙部３２に保持された記録紙３１が使用予定地域で用いられる記録紙、本実施の形態ではレター記録紙３１ｂであると判断する。また、ステップｃ３におけるオフ信号は、シート体検出部２３の発光素子から出射された光が反射されてシート体検出部２３の受光素子で受光した光の受光光量が、予め定める受光光量未満であるときに、シート体検出部２３から検出信号として出力され、制御部１１に与えられる。制御部１１は、このオフ信号に基づいて、給紙部３２に保持された記録紙３１が使用予定地域で用いられる記録紙以外の記録紙、本実施も形態ではＡ４記録紙３１ａであると判断する。
【００９０】
ステップｃ４では、制御部１１は、取得した検出信号に基づいて、実際の使用地域が予め定める使用予定地域と異なると判断して、実際の使用地域が予め定める使用予定地域と異なることを表す地域不一致情報を報知して、すべての処理手順を終了する。本実施の形態において、地域不一致情報の報知は、たとえば次のようにして行う。すなわち、予め定める通信に関する動作を制限、本実施の形態では、送信する画像の読取りを開始または終了する動作、ならびに受信した画像データおよび読取部１６によって読取られて生成された画像データを画像として、使用予定地域で用いられる記録紙以外の記録紙、本実施の形態ではＡ４記録紙３１ａに印刷する動作を禁止することによって、使用者に対して、地域不一致情報を報知する。
【００９１】
前述のように本実施の形態では、予め定める通信に関する動作を制限することによって地域不一致情報を報知するようにしているが、地域不一致情報の報知は、これに限らず、本発明の他の実施の形態では、地域不一致情報を表示部１８に表示することによって報知するようにしてもよい。具体的には、「使用されている地域が使用予定地域と異なります。」といった、使用者に対して電子装置１の使用の抑止を促す内容のメッセージを表示部１８に表示することによって、使用者に対して地域不一致情報を報知してもよい。また、発光ダイオード（Light Emitting Diode；略称：ＬＥＤ）などの発光素子によって実現される報知ランプ部（図示しない）を設け、この報知ランプ部を点灯することによって、使用者に対して地域不一致情報を報知するようにしてもよい。
【００９２】
また、本発明の他の実施の形態では、地域不一致情報を表す予め定める音声情報を送受話部１４のスピーカから出力することによって報知するようにしてもよい。予め定める音声情報は、たとえば「使用されている地域が使用予定地域と異なります。」といった、使用者に対して電子装置１の使用の抑止を促す内容の音声によるメッセージでもよいし、地域不一致情報を報知するために音声情報として予め定められる楽曲でもよい。
【００９３】
さらに、本発明の他の実施の形態では、印刷部１５によって記録紙３１に印刷する動作は禁止せずに、印刷部１５によって記録紙３１に地域不一致情報を印刷することによって報知するようにしてもよい。具体的には、たとえば「使用予定地域は米国です。」および「使用されている地域が使用予定地域と異なります。」といった、使用者に対して電子装置１の使用の抑止を促す内容のメッセージのみを、電子装置１に供給されている記録紙３１に印刷するようにしてもよい。また、公衆電話回線網１２を介して他の通信端末装置から受信した画像データを画像として記録紙３１に印刷するとき、前記画像とともに、前記使用者に対して電子装置１の使用の抑止を促す内容のメッセージを、記録紙３１のヘッダ（header）領域およびフッタ（footer）領域に印刷してもよいし、前記画像と前記内容のメッセージとを合成した画像を記録紙３１に印刷してもよい。
【００９４】
ステップｃ５では、制御部１１は、取得した検出信号に基づいて、実際の使用地域が予め定める使用予定地域であると判断して、ステップｃ１でキー入力部１７から与えられた読取指示情報に基づいて、送信する画像の読取りを開始または終了させる処理を読取部１６に実行させるか、またはステップｃ１でキー入力部１７から与えられた印刷指示情報に基づいて、受信した画像データおよび読取部１６によって読取られて生成された画像データを画像としてレター記録紙３１ｂに印刷させる処理を印刷部１５に実行させて、すべての処理手順を終了する。
【００９５】
前述のように本実施の形態によれば、制御部１１は、シート体検出部２３から出力される検出信号を取得し、この取得した検出信号がオン信号であるか否か、つまりシート体検出部２３の発光素子から出射された光が反射されてシート体検出部２３の受光素子で受光した光の受光光量が、予め定める受光光量以上であるか、または受光光量未満であるかを判断する。
【００９６】
制御部１１が、取得した検出信号がオン信号ではない、つまり取得した検出信号がオフ信号であると判断したときは、給紙部３２に保持された記録紙３１がＡ４記録紙３１ａであると判断し、予め記憶部１９に記憶される第２予定地域テーブルに基づいて、給紙部３２に保持された記録紙３１が使用予定地域で用いられる記録紙以外の記録紙であると判断する。制御部１１は、給紙部３２に保持された記録紙３１が使用予定地域で用いられる記録紙以外の記録紙であると判断したとき、実際の使用地域が予め定める使用予定地域と異なると判断して、使用者に対して、実際の使用地域が予め定める使用予定地域と異なることを表す地域不一致情報を報知する。このように地域不一致情報を報知することによって、使用者に対して、実際の使用地域が使用予定地域と異なることを促すことができ、使用予定地域と異なる地域における電子装置１の使用を抑止することができる。
【００９７】
また本実施の形態によれば、シート体検出部２３は、記録紙３１の搬送経路に臨んで設けられ、記録紙３１による光路の変化によって、給紙部３２に保持された記録紙３１を検出する。シート体検出部２３は、非接触式の検出手段であり、本実施の形態では、非接触式の検出手段で記録紙３１の寸法を検出する。これによって、シート体検出部２３が記録紙３１に接触して記録紙３１の搬送動作に不具合を与えてしまうことなく、円滑な搬送動作を達成した上で、記録紙３１の寸法を検出することができる。
【００９８】
また本実施の形態によれば、シート体検出部２３を、使用予定地域で用いられるレター記録紙３１ｂだけを検出可能な位置に配置することによって、シート体検出部２３によって記録紙３１が検出されたときは、使用予定地域で用いられるレター記録紙３１ｂが使われているとみなすことができ、またシート体検出部２３によって記録紙３１が検出されないときは、Ａ４記録紙３１ａなどの使用予定地域で用いられる記録紙以外の記録紙が使われているとみなすことができる。したがって、シート体検出部３１を前述の位置に配置することによって、記録紙３１の寸法を検出するときと同等の検出結果を得ることができる。
【００９９】
また本実施の形態によれば、使用者に対して電子装置１の使用の抑止を促す内容のメッセージを表示部１８に表示したり、ＬＥＤなどの発光素子によって実現される報知ランプ部を点灯したりすることによって、使用者に対して地域不一致情報を報知する。また、使用者に対して電子装置１の使用の抑止を促す内容の音声によるメッセージ、および地域不一致情報を報知するために音声情報として予め定められる楽曲をスピーカから出力することによって、使用者に対して地域不一致情報を報知してもよい。さらに、使用者に対して電子装置１の使用の抑止を促す内容のメッセージを記録紙に印刷することによって、使用者に対して地域不一致情報を報知してもよい。
【０１００】
前述のように、地域不一致情報を表示部１８に表示したり、報知ランプ部を点灯したり、地域不一致情報を表す予め定める音声情報をスピーカから出力したり、地域不一致情報を記録紙に印刷したりすることによって、使用者に対して、実際の使用地域が使用予定地域と異なることを促すことができ、使用予定地域と異なる地域における電子装置１の使用を抑止することができる。
【０１０１】
また本実施の形態によれば、予め定める通信に関する動作、本実施の形態では、不特定多数の電子装置１との間で、予め定める通信プロトコルに基づいて画像情報および音声情報を送受信する動作を制限することによって、使用者に対して、地域不一致情報を報知する。このように、制御部１１によって通信に関する動作を制限することによって地域不一致情報を報知することによって、使用者に対して、実際の使用地域が予め記憶部１９に記憶される使用予定地域と異なることを促すことができ、使用予定地域と異なる地域における電子装置１の使用を確実に抑止することができる。
【０１０２】
図６は、本発明の実施の他の形態である電子装置１０におけるシート体３１とシート体検出部２３との位置関係を模式的に示す斜視図である。本実施の形態における電子装置１０は、前述の実施の形態の電子装置１と類似しているので、異なる部分についてのみ説明し、対応する部分については、同一の参照符を付して説明を省略する。
【０１０３】
本実施の形態では、前述の実施の形態と同様に、電子装置１０の使用予定地域で用いられる記録紙３１を、レター記録紙３１ｂとし、電子装置１０の使用予定地域と異なる地域で用いられる記録紙３１を、Ａ４記録紙３１ａとする。図６は、使用予定地域で用いられる記録紙以外の記録紙、本実施の形態ではＡ４記録紙３１ａを搬送する場合を示している。なお、図６に参照符Ｗ１で示す長さ寸法および参照符Ｗ２で示す長さ寸法は、それぞれＡ４記録紙３１ａの幅方向Ｙにおける長さ寸法、およびレター記録紙３１ｂの幅方向Ｙにおける長さ寸法を表している。
【０１０４】
電子装置１０は、さらに搬送ローラ４２、軸部４３、軸受４４、印字ヘッド４５および記録位置検出部２４を含む。搬送ローラ４２は、記録紙３１を所定の位置へ搬送する。搬送ローラ４２は、記録紙３１が搬送される搬送経路４１における印刷部１５および読取部１６よりも搬送方向上流側で、かつ給紙部３２よりも搬送方向下流側に設けられる。搬送ローラ４２は、略円筒形状であり、図示しないモータなどの駆動部によって、記録紙３１の幅方向Ｙに平行に設けられる軸部４３の軸線Ｌ１まわりに回転駆動することができる。軸受４４は、軸部４３を支持する。軸受４４は、略円筒形状であり、搬送ローラ４３と同一の軸部４３で、かつ搬送ローラ４２の両端に設けられる。軸受４４は、たとえば転がり軸受によって実現される。軸受４４は、搬送ローラ４２に対して回転自在に軸支され、軸受４４の外形は、搬送ローラ４２の外形より小さい寸法に形成される。搬送ローラ４２は、軸受４４を介して電子装置１０の筐体４０に支持される。
【０１０５】
印字ヘッド４５は、搬送方向上流側から搬送経路４１に沿って搬送されてきた記録紙３１に、所定の画像を記録する。印字ヘッド４５は、搬送経路４１における搬送ローラ４３よりも搬送方向下流側に設けられる。印字ヘッド４５は、たとえばライン形サーマルヘッドによって実現される。ライン形サーマルヘッドは、記録紙３１の幅方向Ｙに直線状に配列される複数個の発熱素子を有する。１つの発熱素子が１画素を構成し、記録紙を搬送方向に送りながら画像データに応じて発熱素子を選択的に発熱させながら列単位で記録紙３１に画像を記録していき、記録紙３１全面に画像を記録する。
【０１０６】
インクリボンを記録紙３１に熱転写して記録する熱転写記録方式では、インクリボンの一方の表面に、熱溶融性インクが塗布されている。インクリボンの熱溶融性インクの塗布された表面と記録紙３１の記録面とを密着させて、インクリボンの熱溶融性インクを塗布していない表面とサーマルヘッドの発熱素子が配列されている面とを密着させるようにして、インクリボンをサーマルヘッドと記録紙３１との間に挟み込み、インクリボンと記録紙とを搬送方向に送り、サーマルヘッドの発熱素子を発熱させて、インクリボンのインクを溶融して記録紙３１に転写する。
【０１０７】
本実施の形態では、たとえば熱転写記録方式を用いて記録紙に画像を記録するように構成されている場合について述べたが、本発明の他の実施の形態では、熱転写記録方式に限らず、たとえばインクジェット記録方式および電子写真記録方式を用いた場合でも好適に実施することができる。インクジェット記録方式は、インクを細いノズルの先端から均一な粒子として噴射させ、飛跡を制御して記録紙に付着させて記録する方式である。電子写真記録方式は、帯電した感光性ドラム、感光性ベルトなどの感光体の表面を露光して、所望の静電潜像を形成し、露光によって形成された静電潜像にトナーを付着させることによって生成されたトナー像を記録紙に転写し、この記録紙に転写されたトナー像を加熱によって定着させて記録する方式である。
【０１０８】
記録位置検出部２４は、フォトセンサを含む。フォトセンサは、たとえば反射型フォトセンサによって実現される。フォトセンサは、発光素子および受光素子を含む。発光素子は、たとえばＬＥＤによって実現される。受光素子は、たとえばフォトダイオードによって実現される。記録位置検出部２４は、搬送経路に沿って搬送されるシート体３１による光路の変化によって、記録紙３１が後述する印字ヘッド４５に到達したことを検出する。記録位置検出部２４によって検出された検出結果を表す検出信号は、制御部１１に与えられる。制御部１１は、記録位置検出部２４から与えられる検出信号に基づいて、少なくとも印刷部１５および読取部１６を制御する。
【０１０９】
記録位置検出部２４は、記録紙３１の搬送経路４１における印字ヘッド４５付近に配置される。さらに述べると、記録位置検出部２４は、印字ヘッド４５よりも搬送方向上流側に配置される。
【０１１０】
さらに、本実施の形態では、記録位置検出部２４に隣接してシート体検出部２３が設けられる。シート体検出部２３は、記録位置検出部２４よりも記録紙３１の幅方向Ｙ他方に配置される。シート体検出部２３は、使用予定地域で用いられる寸法の記録紙３１、本実施の形態ではレター記録紙３１ｂだけを検出可能な位置に配置される。また、シート体検出部２３および記録位置検出部２４は、印字ヘッド４５よりも搬送方向上流側に配置される。
【０１１１】
本実施の形態では、シート体検出部２３および記録位置検出部２４が設けられる印字ヘッド４５付近は、誤作動および故障の原因を未然に防止するために、使用者によって開放されることができないように構成されている。また、シート体検出部２３および記録位置検出部２４に対しても、使用者によって手で触れられるなどの不所望な操作および取扱いが防がれるように構成されている。
【０１１２】
シート体検出部２３および記録位置検出部２４は、たとえば記録紙３１による光路の変化によって、給紙部３２から搬送される記録紙３１を検出する。シート体検出部２３および記録位置検出部２４は、非接触式の検出手段であり、本実施の形態では、非接触式の検出手段で記録紙３１を検出する。これによって、シート体検出部２３および記録位置検出部２４が記録紙３１に接触して記録紙３１の搬送動作に不具合を与えてしまうことなく、円滑な搬送動作を達成した上で、記録紙３１を検出することができる。
【０１１３】
図７は、地域不一致情報の報知に関する制御部１１の処理手順を示すフローチャートである。地域不一致情報の報知に関する制御部１１の処理手順は、送信する画像の読取りを開始または終了する処理、および受信した画像データおよび読取部１６によって読取られて生成された画像データを画像として記録紙３１に印刷する処理が可能な待機状態にあるときに開始される。
【０１１４】
ステップｄ１では、制御部１１は、キー入力部１７から与えられた、送信する画像の読取りを開始または終了することを表す読取指示情報、または受信した画像データおよび読取部１６によって読取られて生成された画像データを画像として記録紙３１に印刷することを表す印刷指示情報を取得したか否かを判断する。ステップｄ１において、制御部１１が、キー入力部１７から与えられた前記読取指示情報または印刷指示情報を取得したと判断したときは、ステップｄ２に進み、キー入力部１７から与えられた前記読取指示情報または印刷指示情報を取得していないと判断したときは、ステップｄ８に進む。
【０１１５】
ステップｄ２では、制御部１１は、記録位置検出部２４から出力される検出結果を表す検出信号（以下、単に「記録位置検出信号」と表記する場合がある）を取得する。ステップｄ３では、制御部１１は、ステップｄ２で取得した記録位置検出信号がオン信号であるか否かを判断する。ステップｄ３において、制御部１１が、取得した記録位置検出信号がオン信号であると判断したときは、ステップｄ４に進む。ステップｄ３において、制御部１１が、取得した記録位置検出信号がオン信号ではない、つまり取得した記録位置検出信号がオフ信号であると判断したときは、記録位置検出信号がオン信号であると判断されるまで、ステップｄ３の処理を繰返し行う。
【０１１６】
ここで、ステップｄ３におけるオン信号は、記録位置検出部２４の発光素子から出射された光が反射されて記録位置検出部２４の受光素子で受光した光の受光光量が、予め定める受光光量以上であるときに、記録位置検出部２４から検出信号として出力され、制御部１１に与えられる。また、ステップｄ３におけるオフ信号は、記録位置検出部２４の発光素子から出射された光が反射されて記録位置検出部２４の受光素子で受光した光の受光光量が、予め定める受光光量未満であるときに、記録位置検出部２４から検出信号として出力され、制御部１１に与えられる。
【０１１７】
ステップｄ４では、制御部１１は、シート体検出部２３から出力される検出結果を表す検出信号（以下、単に「シート体検出信号」と表記する場合がある）を取得する。ステップｄ５では、制御部１１は、ステップｄ４で取得したシート体検出信号がオン信号であるか否かを判断する。ステップｄ５において、制御部１１が、取得したシート体検出信号がオン信号ではない、つまり取得したシート体検出信号がオフ信号であると判断したときは、ステップｄ６に進む。ステップｄ５において、制御部１１が、取得したシート体検出信号がオン信号であると判断したときは、ステップｄ７に進む。
【０１１８】
ここで、ステップｄ５におけるオン信号は、シート体検出部２３の発光素子から出射された光が反射されてシート体検出部２３の受光素子で受光した光の受光光量が、予め定める受光光量以上であるときに、シート体検出部２３から検出信号として出力され、制御部１１に与えられる。制御部１１は、記録位置検出部２４から取得した検出信号がオン信号で、かつシート体検出部２３から取得した検出信号がオフ信号であるとき、所定の搬送経路４１を搬送されてきた記録紙が使用予定地域で用いられる記録紙以外の記録紙、本実施の形態ではＡ４記録紙３１ｂであると判断する。
【０１１９】
また、ステップｄ５におけるオフ信号は、シート体検出部２３の発光素子から出射された光が反射されてシート体検出部２３の受光素子で受光した光の受光光量が、予め定める受光光量未満であるときに、シート体検出部２３から検出信号として出力され、制御部１１に与えられる。制御部１１は、取得した記録位置検出信号がオン信号で、かつ取得したシート体検出信号がオン信号であるとき、所定の搬送経路４１を搬送されてきた記録紙３１が使用予定地域で用いられる記録紙、本実施の形態ではレター記録紙３１ｂであると判断する。
【０１２０】
ステップｄ６では、制御部１１は、取得した記録位置検出信号およびシート体検出信号に基づいて、実際の使用地域が予め定める使用予定地域と異なると判断して、実際の使用地域が予め定める使用予定地域と異なることを表す地域不一致情報を報知して、すべての処理手順を終了する。本実施の形態において、地域不一致情報の報知は、たとえば次のようにして行う。すなわち、予め定める通信に関する動作を制限、本実施の形態では、送信する画像の読取りを開始または終了する動作、ならびに受信した画像データおよび読取部１６によって読取られて生成された画像データを画像として、使用予定地域で用いられる記録紙以外の記録紙、本実施の形態ではＡ４記録紙３１ａに印刷する動作を禁止することによって、使用者に対して、地域不一致情報を報知する。
【０１２１】
前述のように本実施の形態では、予め定める通信に関する動作を制限することによって地域不一致情報を報知するようにしているが、地域不一致情報の報知は、これに限らず、本発明の他の実施の形態では、地域不一致情報を表示手段に表示することによって報知するようにしてもよい。具体的には、「使用されている地域が使用予定地域と異なります。」などの使用者に対して電子装置１０の使用の抑止を促す内容のメッセージを表示部１８に表示することによって、使用者に対して地域不一致情報を報知してもよい。また、発光ダイオード（Light Emitting Diode；略称：ＬＥＤ）などの発光素子によって実現される報知ランプ部（図示しない）を設け、この報知ランプ部を点灯することによって、使用者に対して地域不一致情報を報知するようにしてもよい。
【０１２２】
また、本発明の他の実施の形態では、地域不一致情報を表す予め定める音声情報をスピーカから出力することによって報知するようにしてもよい。予め定める音声情報は、たとえば「使用されている地域が使用予定地域と異なります。」という、使用者に対して電子装置１０の使用の抑止を促す内容の音声によるメッセージでもよいし、地域不一致情報を報知するために音声情報として予め定められる楽曲でもよい。
【０１２３】
さらに、本発明の他の実施の形態では、印刷部１５によって記録紙３１に印刷する動作は禁止せずに、印刷部１５によって記録紙３１に地域不一致情報を印刷することによって報知するようにしてもよい。具体的には、たとえば「使用予定地域は米国です」および「使用されている地域が使用予定地域と異なります。」といった、使用者に対して電子装置１の使用の抑止を促す内容のメッセージのみを、電子装置１に供給されている記録紙３１に印刷するようにしてもよい。また、公衆電話回線網１２を介して他の通信端末装置から受信した画像データを画像として記録紙３１に印刷するとき、前記画像とともに、前記使用者に対して電子装置１の使用の抑止を促す内容のメッセージを、記録紙３１のヘッダ（header）領域およびフッタ（footer）領域に印刷してもよいし、前記画像と前記内容のメッセージとを合成した画像を記録紙３１に印刷してもよい。
【０１２４】
ステップｄ７では、制御部１１は、取得した検出信号に基づいて、実際の使用地域が予め定める使用予定地域であると判断して、ステップｄ１でキー入力部１７から与えられた読取指示情報に基づいて、送信する画像の読取りを開始または終了させる処理を読取部１６に実行させるか、またはステップｄ１でキー入力部１７から与えられた印刷指示情報に基づいて、受信した画像データおよび読取部１６によって読取られて生成された画像データを画像としてレター記録紙３１ｂに印刷させる処理を印刷部１５に実行させて、すべての処理手順を終了する。
【０１２５】
ステップｄ８では、制御部１１は、記録位置検出部２４およびシート体検出部２３から出力される検出結果を表す検出信号を取得する。ステップｄ９では、制御部１１は、ステップｄ８で取得した記録位置検出信号がオン信号であるか否かを判断する。ステップｄ９において、制御部１１が、取得した記録位置検出信号がオン信号であると判断したときは、ステップｄ１１に進む。ステップｄ９において、制御部１１が、取得した記録位置検出信号がオン信号ではない、つまり取得した記録位置検出信号がオフ信号であると判断したときは、ステップｄ１０に進む。
【０１２６】
ここで、ステップｄ９におけるオン信号は、記録位置検出部２４の発光素子から出射された光が反射されて記録位置検出部２４の受光素子で受光した光の受光光量が、予め定める受光光量以上であるときに、記録位置検出部２４から検出信号として出力され、制御部１１に与えられる。ステップｄ９において、記録位置検出部２４から取得した検出信号がオン信号であるとき、制御部１１は、所定の搬送経路４１を搬送されてきた記録紙３１が使用予定地域で用いられる記録紙以外の記録紙、本実施の形態ではＡ４記録紙３１ｂであると判断する。
【０１２７】
また、ステップｄ９におけるオフ信号は、記録位置検出部２４の発光素子から出射された光が反射されて記録位置検出部２４の受光素子で受光した光の受光光量が、予め定める受光光量未満であるときに、記録位置検出部２４から検出信号として出力され、制御部１１に与えられる。
【０１２８】
ステップｄ１０では、制御部１１は、ステップｄ８で取得したシート体検出信号がオン信号であるか否かを判断する。ステップｄ１０において、制御部１１が、取得したシート体検出信号がオン信号であると判断したときは、ステップｄ１１に進む。ステップｄ１０において、制御部１１が、取得したシート体検出信号がオン信号ではない、つまり取得したシート体検出信号がオフ信号であると判断したときは、ステップｄ１に戻り、前述と同様の処理を繰返し行う。
【０１２９】
ここで、ステップｄ１０におけるオン信号は、シート体検出部２３の発光素子から出射された光が反射されてシート体検出部２３の受光素子で受光した光の受光光量が、予め定める受光光量以上であるときに、シート体検出部２３から検出信号として出力され、制御部１１に与えられる。また、ステップｄ１０におけるオフ信号は、シート体検出部２３の発光素子から出射された光が反射されてシート体検出部２３の受光素子で受光した光の受光光量が、予め定める受光光量未満であるときに、シート体検出部２３から検出信号として出力され、制御部１１に与えられる。ステップｄ１０において、記録位置検出部２４から取得した検出信号がオフ信号で、かつシート体検出部２３から取得した検出信号がオン信号であるとき、所定の搬送経路４１を搬送されてきた記録紙３１が使用予定地域で用いられる記録紙以外の記録紙、本実施の形態ではＡ４記録紙３１ｂであると判断する。
【０１３０】
ステップｄ１１では、制御部１１は、前述のステップｄ６と同様の処理を行い、すべての処理手順を終了する。
【０１３１】
本実施の形態は、前述の実施の形態とほぼ同様に構成されているので、前述の実施の形態の効果と同様の効果を得ることができる。さらに、本実施の形態によれば、シート体検出部２３および記録位置検出部２４が設けられる印字ヘッド４５付近は、誤作動および故障の原因を未然に防止するために、使用者によって開放されることができないように構成されており、シート体検出部２３および記録位置検出部２４に対しても、使用者によって手で触れられるなどの不所望な操作および取扱いが防がれるように構成されている。これによって、シート体検出部２３および記録位置検出部２４が汚れたり、または故意に検出動作を阻止したりするような改造を防ぐことができ、記録紙の寸法を高精度でかつ確実に検出することができる。
【０１３２】
また本実施の形態によれば、シート体検出部２３および記録位置検出部２４は、印字ヘッド４５よりも搬送方向上流側に配置される。したがって、記録紙が搬送経路における印字ヘッド４５に到達する前に、シート体検出部２３によって記録紙３１の寸法を検出することができる。これによって、使用予定地域で用いられるべき寸法の記録紙以外の記録紙、本実施の形態ではＡ４記録紙３１ａが使われているときに、印字ヘッド４５などによる記録動作を禁止するなどの制御を行うことが可能になり、印字ヘッド４５を含む印刷部１５によって画像が記録紙に無駄に記録されることを未然に防止することができる。これによって、利便性を向上することができる。
【０１３３】
また本実施の形態によれば、シート体検出部２３は、使用予定地域で用いられる寸法の記録紙３１、本実施の形態ではレター記録紙３１ｂだけを検出可能な位置に配置される。このように、シート体検出部２３を、使用予定地域で用いられるレター記録紙３１ｂだけを検出可能な位置に配置することによって、シート体検出部２３によって記録紙３１が検出されたときは、使用予定地域で用いられるレター記録紙３１ｂが使われているとみなすことができ、またシート体検出部２３によって記録紙３１が検出されないときは、Ａ４記録紙３１ａなどの使用予定地域で用いられる記録紙以外の記録紙が使われているとみなすことができる。したがって、シート体検出部３１を前述の位置に配置することによって、記録紙３１の寸法を検出するときと同等の検出結果を得ることができる。
【０１３４】
また本実施の形態によれば、記録位置検出部２４よりも記録紙３１の幅方向Ｙ他方に、シート体検出部２３を配置することによって、記録位置検出部２４によって記録紙３１が印字ヘッド４５に到達したことが検出されていないときに、たとえばシート体検出部２３への塵埃の付着、ならびに故意に検出動作を阻止するような使用者によるシート体検出部２３の不所望な操作および取扱いに起因して所定の検出動作ができないといった不具合が生じたとき、印字ヘッド４５を含む印刷部１５による記録動作を禁止するなどの制御を行うことができる。したがって、前述のようにシート体検出部２３への塵埃の付着に起因して、使用予定地域で用いられる記録紙以外の記録紙、本実施の形態ではＡ４記録紙３１ａが使われて、印刷部１５によって画像が記録されてしまうなどの誤検出による不所望な動作を防止することができる。さらに、前述のように故意に検出動作を阻止するような使用者によるシート体検出部２３の不所望な操作および取扱いに起因して、使用予定地域で用いられる記録紙以外の記録紙、本実施の形態ではＡ４記録紙３１ａが使われて、印刷部１５によって画像が記録されてしまうなどの不正使用による不所望な動作を防止することができる。これによって、記録紙の寸法を高精度でかつ確実に検出することができる。
【０１３５】
図８は、地域不一致情報の報知に関する制御部１１の処理手順を示すフローチャートである。地域不一致情報の報知に関する制御部１１の処理手順は、初期設定において使用地域を表すエリアコード、本実施の形態では国番号が入力可能な待機状態であるときに開始される。
【０１３６】
ステップｅ１では、制御部１１は、エリアコードが入力されたか否かを判断する。ステップｅ１において、制御部１１が、エリアコードが入力されたと判断したときは、ステップｅ２に進み、エリアコードが入力されていないと判断したときは、エリアコードが入力されるまで待機する。
【０１３７】
エリアコードが入力されたか否かの判断は、たとえば使用者によって入力される国番号の桁数が、予め記憶部１９に記憶される国番号の桁数と合致するか否かに基づいて行う。つまり、使用者によって入力される国番号の桁数が、予め記憶部１９に記憶される国番号の桁数と合致すれば、制御部１１は、エリアコードが入力されたと判断する。また、使用者によって入力される国番号の桁数が、予め記憶部１９に記憶される国番号の桁数と合致しなければ、制御部１１は、エリアコードが入力されていないと判断する。
【０１３８】
ステップｅ２では、制御部１１は、ステップｅ１で入力されたエリアコードを記憶部１９に記憶する。ステップｅ３では、制御部１１は、キー入力部１７から与えられた、送信する画像の読取りを開始または終了することを表す読取指示情報、または受信した画像データおよび読取部１６によって読取られて生成された画像データを画像として記録紙３１に印刷することを表す印刷指示情報を取得したか否かを判断する。
【０１３９】
ステップｅ３において、制御部１１が、キー入力部１７から与えられた前記読取指示情報または印刷指示情報を取得したと判断したときは、ステップｅ４に進み、キー入力部１７から与えられた前記読取指示情報または印刷指示情報を取得していないと判断したときは、ステップｅ１０に進む。
【０１４０】
ステップｅ４では、制御部１１は、記録位置検出部２４から出力される検出結果を表す検出信号（以下、単に「記録位置検出信号」と表記する場合がある）を取得する。ステップｅ５では、制御部１１は、ステップｅ４で取得した記録位置検出信号がオン信号であるか否かを判断する。ステップｅ５において、制御部１１が、取得した記録位置検出信号がオン信号であると判断したときは、ステップｅ６に進む。ステップｅ５において、制御部１１が、取得した記録位置検出信号がオン信号ではない、つまり取得した記録位置検出信号がオフ信号であると判断したときは、記録位置検出信号がオン信号であると判断されるまで、ステップｅ５の処理を繰返し行う。
【０１４１】
ここで、ステップｅ５におけるオン信号は、記録位置検出部２４の発光素子から出射された光が反射されて記録位置検出部２４の受光素子で受光した光の受光光量が、予め定める受光光量以上であるときに、記録位置検出部２４から検出信号として出力され、制御部１１に与えられる。また、ステップｅ５におけるオフ信号は、記録位置検出部２４の発光素子から出射された光が反射されて記録位置検出部２４の受光素子で受光した光の受光光量が、予め定める受光光量未満であるときに、記録位置検出部２４から検出信号として出力され、制御部１１に与えられる。
【０１４２】
ステップｅ６では、制御部１１は、シート体検出部２３から出力される検出結果を表す検出信号（以下、単に「シート体検出信号」と表記する場合がある）を取得する。
【０１４３】
ステップｅ７では、制御部１１は、予め記憶部１９に記憶されるシート体テーブルに基づいて、ステップｅ２で記憶部１９に記憶されたエリアコードが、取得した記録位置検出信号およびシート体検出信号（以下、単に「検出信号」と表記する場合がある）が表す情報に対応しているか否かを判断する。ステップｅ７において、制御部１１が、記憶部１９に記憶されたエリアコードが、検出信号が表す情報に対応していないと判断したときは、ステップｅ８に進む。ステップｅ７において、制御部１１が、記憶部１９に記憶されたエリアコードが、検出信号が表す情報に対応していると判断したときは、ステップｅ９に進む。
【０１４４】
ステップｅ８では、制御部１１は、記憶部１９に記憶されたエリアコードが、取得した検出信号に対応していない、換言すれば実際の使用地域が予め定める使用予定地域と異なると判断して、実際の使用地域が予め定める使用予定地域と異なることを表す地域不一致情報を報知して、すべての処理手順を終了する。
【０１４５】
本実施の形態において、地域不一致情報の報知は、たとえば次のようにして行う。すなわち、予め定める通信に関する動作を制限、本実施の形態では、送信する画像の読取りを開始または終了する動作、ならびに受信した画像データおよび読取部１６によって読取られて生成された画像データを画像として、使用予定地域で用いられる記録紙以外の記録紙、本実施の形態ではＡ４記録紙３１ａに印刷する動作を禁止することによって、使用者に対して、地域不一致情報を報知する。
【０１４６】
前述のように本実施の形態では、予め定める通信に関する動作を制限することによって地域不一致情報を報知するようにしているが、地域不一致情報の報知は、これに限らず、本発明の他の実施の形態では、地域不一致情報を表示手段に表示することによって報知するようにしてもよい。具体的には、「使用されている地域が使用予定地域と異なります。」などの使用者に対して電子装置１０の使用の抑止を促す内容のメッセージを表示部１８に表示することによって、使用者に対して地域不一致情報を報知してもよい。また、発光ダイオード（Light Emitting Diode；略称：ＬＥＤ）などの発光素子によって実現される報知ランプ部（図示しない）を設け、この報知ランプ部を点灯することによって、使用者に対して地域不一致情報を報知するようにしてもよい。
【０１４７】
また、本発明の他の実施の形態では、地域不一致情報を表す予め定める音声情報をスピーカから出力することによって報知するようにしてもよい。予め定める音声情報は、たとえば「使用されている地域が使用予定地域と異なります。」という、使用者に対して電子装置１０の使用の抑止を促す内容の音声によるメッセージでもよいし、地域不一致情報を報知するために音声情報として予め定められる楽曲でもよい。
【０１４８】
さらに、本発明の他の実施の形態では、印刷部１５によって記録紙３１に印刷する動作は禁止せずに、印刷部１５によって記録紙３１に地域不一致情報を印刷することによって報知するようにしてもよい。具体的には、たとえば「使用予定地域は米国です」および「使用されている地域が使用予定地域と異なります。」といった、使用者に対して電子装置１の使用の抑止を促す内容のメッセージのみを、電子装置１に供給されている記録紙３１に印刷するようにしてもよい。また、公衆電話回線網１２を介して他の通信端末装置から受信した画像データを画像として記録紙３１に印刷するとき、前記画像とともに、前記使用者に対して電子装置１の使用の抑止を促す内容のメッセージを、記録紙３１のヘッダ（header）領域およびフッタ（footer）領域に印刷してもよいし、前記画像と前記内容のメッセージとを合成した画像を記録紙３１に印刷してもよい。
【０１４９】
ステップｅ９では、制御部１１は、記憶部１９に記憶されたエリアコードが、取得した検出信号に対応している、換言すれば実際の使用地域が予め定める使用予定地域であると判断して、ステップｅ３でキー入力部１７から与えられた読取指示情報に基づいて、送信する画像の読取りを開始または終了させる処理を読取部１６に実行させるか、またはステップｅ３でキー入力部１７から与えられた印刷指示情報に基づいて、受信した画像データおよび読取部１６によって読取られて生成された画像データを画像としてレター記録紙３１ｂに印刷させる処理を印刷部１５に実行させて、すべての処理手順を終了する。
【０１５０】
ステップｅ１０では、制御部１１は、記録位置検出部２４およびシート体検出部２３から出力される検出結果を表す検出信号を取得する。ステップｅ１１では、制御部１１は、ステップｅ１０で取得した記録位置検出信号がオン信号であるか否かを判断する。ステップｅ１１において、制御部１１が、取得した記録位置検出信号がオン信号であると判断したときは、ステップｅ１３に進む。ステップｅ１１において、制御部１１が、取得した記録位置検出信号がオン信号ではない、つまり取得した記録位置検出信号がオフ信号であると判断したときは、ステップｅ１２に進む。
【０１５１】
ここで、ステップｅ１１におけるオン信号は、記録位置検出部２４の発光素子から出射された光が反射されて記録位置検出部２４の受光素子で受光した光の受光光量が、予め定める受光光量以上であるときに、記録位置検出部２４から検出信号として出力され、制御部１１に与えられる。ステップｅ１１において、記録位置検出部２４から取得した検出信号がオン信号であるとき、制御部１１は、所定の搬送経路４１を搬送されてきた記録紙３１が使用予定地域で用いられる記録紙以外の記録紙、本実施の形態ではＡ４記録紙３１ｂであると判断する。
【０１５２】
また、ステップｅ１１におけるオフ信号は、記録位置検出部２４の発光素子から出射された光が反射されて記録位置検出部２４の受光素子で受光した光の受光光量が、予め定める受光光量未満であるときに、記録位置検出部２４から検出信号として出力され、制御部１１に与えられる。
【０１５３】
ステップｅ１２では、制御部１１は、予め記憶部１９に記憶されるシート体テーブルに基づいて、ステップ２で記憶部１９に記憶されたエリアコードが、ステップｅ１０で取得した検出信号が表す情報に対応しているか否かを判断する。ステップｅ１２において、制御部１１が、記憶部１９に記憶されたエリアコードが、検出信号が表す情報に対応していないと判断したときは、ステップｅ１３に進む。ステップｅ１２において、制御部１１が、記憶部１９に記憶されたエリアコードが、検出信号が表す情報に対応していると判断したときは、ステップｅ３に戻り、前述と同様の処理を繰返し行う。
【０１５４】
ステップｅ１３では、制御部１１は、前述のステップｅ８と同様の処理を行い、すべての処理手順を終了する。
【０１５５】
前述のように、使用者によって入力され、記憶部１９に記憶されたエリアコードが、シート体検出部２３および記録位置検出部２４から出力される検出信号が表す情報に対応しているか否かを判断し、前記エリアコードが検出信号が表す情報に対応していないときに、地域不一致情報を報知するように構成した場合でも、前述の実施の形態の効果と同様の効果を得ることができる。
【０１５６】
前述の実施の形態は、本発明の例示に過ぎず、本発明の範囲内において発明の構成を変更してもよい。たとえば、前述の実施の形態では、電子装置１，１０にファクシミリ装置を適用した場合の電子装置１，１０の構成について述べたが、本発明の他の実施の形態では、ファクシミリ装置に限らず、予め使用予定地域に関する予定地域関連情報が記憶され、実際の使用地域が使用予定地域と異なる地域であることを検出した場合に、実際の使用地域が使用予定地域と異なることを表す地域不一致情報を報知する報知手段を制御する制御手段を備える電子装置であれば、前述の実施の形態と同様に好適に実施することができる。
【０１５７】
また、前述の実施の形態では、シート体検出部２３を備える構成およびシート体検出部２３と記録位置検出部２４とを備える構成について述べたが、本発明の他の実施の形態では、シート体検出部２３が記録位置検出部２４を兼ねるように構成されてもよく、この場合でも前述の実施の形態と同様に好適に実施することができる。
【０１５８】
また、前述の実施の形態では、シート体検出部２３によって記録紙３１の寸法を検出する場合、および記録位置検出部２４によって記録紙３１が印字ヘッド４５へ到達したことを検出する場合のいずれの場合も、フォトセンサを用いた構成について述べたが、本発明の他の実施の形態では、たとえばメカセンサなどと呼ばれる接触式の検出手段を用いた場合でも、前述の実施の形態と同様に好適に実施することができる。具体的には、搬送経路に、この搬送経路から退避可能に突出する操作片を設け、記録紙３１が搬送経路を通過するときに操作片が操作されるように配置され、記録紙３１によって操作片が操作されたときと操作されていないときとで操作片が変位することによって出力態様が異なる検出部を用いる構成であってもよい。検出部は、たとえば、透過型または反射型のフォトセンサを用いて操作片の位置を検出する構成であってもよい。
【図面の簡単な説明】
【０１５９】
【図１】本発明の実施の一形態である電子装置１の構成を示すブロック図である。
【図２】地域不一致情報の報知に関する制御部１１の処理手順を示すフローチャートである。
【図３】画像データファイルの送信処理に関する制御部１１の処理手順を示すフローチャートである。
【図４】給紙部３２を示す正面図である。
【図５】地域不一致情報の報知に関する制御部１１の処理手順を示すフローチャートである。
【図６】本発明の実施の他の形態である電子装置１０におけるシート体３１とシート体検出部２３との位置関係を模式的に示す斜視図である。
【図７】地域不一致情報の報知に関する制御部１１の処理手順を示すフローチャートである。
【図８】地域不一致情報の報知に関する制御部１１の処理手順を示すフローチャートである。
【符号の説明】
【０１６０】
１，１０  電子装置
１１  制御部
１２  公衆電話回線網
１３  網制御部
１４  送受信部
１５  印刷部
１６  読取部
１７  キー入力部
１８  表示部
１９  記憶部
２０  モデム部
２１  圧縮伸長処理部
２２  画像処理部
２３  シート体検出部
２４  記録位置検出部
３１  シート体（記録紙）
３２  給紙部
４１  搬送経路
４２  搬送ローラ
４５  印字ヘッド
【図１】
2005252889.tif 000003
【図２】
2005252889.tif 000004
【図３】
2005252889.tif 000005
【図４】
2005252889.tif 000006
【図５】
2005252889.tif 000007
【図６】
2005252889.tif 000008
【図７】
2005252889.tif 000009
【図８】
2005252889.tif 000010